(57)【要約】      （修正有）【課題】液体計量キャップの残量を低減させることで、液体計量キャップの計量と払出し量の差を少なくして適正な洗浄効果を生じさせることができる液体計量キャップを提供する。【解決手段】略筒状の周壁１０と前記周壁１０の一端部を閉塞する底面１２を有した略椀状を呈し、液体を収納して計量可能な収容部１４を備えた液体計量キャップにおいて、液体計量キャップの中心軸に沿う方向に平行な断面において、前記周壁１０と底面１２とが連接部２０でなす角度Ａが１１０度以上の鈍角である液体計量キャップ。【選択図】図２
0003152639.tif 000002
【実用新案登録請求の範囲】
【請求項１】
略筒状の周壁と前記周壁の一端部を閉塞する底面を有した略椀状を呈し、液体を収納して計量可能な収容部を備えた液体計量キャップにおいて、
液体計量キャップの中心軸に沿う方向に平行な断面において、前記周壁と底面とが連接部でなす角度が１１０度以上の鈍角であることを特徴とする液体計量キャップ。
【請求項２】
底面側の設置面に、液体計量キャップを正立させるために３以上でかつ奇数個の突起を設けたことを特徴とする請求項１に記載の液体計量キャップ。
【請求項３】
前記突起が、底面中心点から同心円状に等間隔で配列されていることを特徴とした請求項１または２に記載の液体計量キャップ。
【考案の詳細な説明】
【技術分野】
【０００１】
本考案は、液体洗剤、柔軟剤、薬剤等を容器本体に収容し、その液体を計量する液体計量キャップに関する。
【背景技術】
【０００２】
従来の液体計量キャップは、一般的な形状は、輸送中や使用時の操作段階で容易に液漏れしないよう、容器本体との嵌合は、ネジ構造による嵌合方式が一般的である。
【０００３】
そのため、液体計量キャップでは、断面形状が円筒状であり、底部形状は一時仮置きしても転倒しないように、平坦に形成されている。
【０００４】
そのことより、底部と円筒側面の接続部形状は、断面でほぼ垂直となるため、使用時（計量後の洗濯槽などへの排出行動）から戻したときの液体計量キャップ内の残量が、特に粘度の高い液体では、かなりの残量があり、計量と払出し量との間に誤差を生じさせていた。
【０００５】
例えば実開平３−１１１９６５号（特許文献１）では、天面壁と筒状上部側壁で構成された液体計量キャップにおいて天面壁に近づくにつれてその断面積が小さくなるものを開示している。しかしながら、この特許文献１の液体計量キャップでは、天面壁が平坦であるので計量後の液体残量は減少されていない。
【先行技術文献】
【特許文献】
【０００６】
【特許文献１】実開平３−１１１９６５号
【考案の概要】
【考案が解決しようとする課題】
【０００７】
本考案は、前述の問題点を解決するものであって、液体計量キャップの残量を低減させることで、液体計量キャップの計量と払出し量の差を少なくして適正な洗浄効果を生じさせることができる液体計量キャップを提供しようとするものである。
【課題を解決するための手段】
【０００８】
本考案は液体計量キャップに係るものである。
【０００９】
本考案は、略筒状の周壁と前記周壁の一端部を閉塞する底面を有した略椀状を呈し、液体を収納して計量可能な収容部を備えた液体計量キャップにおいて、
液体計量キャップの中心軸に沿う方向に平行な断面において、前記周壁と底面とが連接部でなす角度が１１０度以上の鈍角であることを特徴とする液体計量キャップである。
【００１０】
本考案においては、底面側の設置面に、液体計量キャップを正立させるために３以上でかつ奇数個の突起を設けたことが好適である。この場合、突起を５個以上でかつ奇数個の突起を設けるのがさらに好適である。
【００１１】
また、本考案においては、前記突起が、底面中心点から同心円状に等間隔で配列されているのが好適である。
【考案の効果】
【００１２】
本考案の液体計量キャップによれば、液体計量キャップの中心軸に沿う方向に平行な断面において、前記周壁と底面とが連接部でなす角度が１１０度以上の鈍角であるので、連接部で滞ることなく滑らかに液体を流して液残りを生じ難くし、計量と払出しとの誤差を少なくすることができる。
【００１３】
また、本考案において、底面側の設置面に、液体計量キャップを正立させるために３以上でかつ奇数個の突起を設けたことによって、突起が偶数個である場合に比較して突起同士間の接地長を長くして液体計量キャップを確実に正立させることができる。この場合、突起を５個以上でかつ奇数個の設けることによって、最短部を長くでき、より転倒しにくい構成にできる。
【００１４】
また、本考案において、前記突起が、底面中心点から同心円状に等間隔で配列されていることによって、どの方向に傾いても倒れにくく確実に復帰し易い等の優れた効果を奏し得る。
【図面の簡単な説明】
【００１５】
【図１】本考案の実施形態に係る液体計量キャップの装着状態を説明する図であって、（ａ）が液体計量キャップの一側面図、（ｂ）が同他側面図を示す。
【図２】図１の液体計量キャップの（ａ）が平面図、（ｂ）が（ａ）のＢ−Ｂ線に沿う縦断面図である。
【図３】比較例および本考案に係る液体計量キャップの内容物の残量を比較して説明するための評価結果図である。
【図４】（ａ）、（ｂ）液体計量キャップに設ける突起の奇数個、偶数個の各例の説明図、（ｃ）〜（ｈ）は仮想接地面と中心点までの距離Ｌについて、突起が３個〜８個の各場合の説明図である。
【図５】本考案に係る液体計量キャップにおいて突起を４つ設けた例の説明図であって、（ａ）が側面視図、（ｂ）が縦断面図、（ｃ）が下面図である。
【図６】本考案に係る液体計量キャップにおいて突起を５つ設けた例の説明図であって、（ａ）が側面視図、（ｂ）が縦断面図、（ｃ）が下面図である。
【図７】図４（ｃ）〜（ｈ）の各場合の接地長と傾斜角度と中心最短距離の計測結果を示す図表である。
【考案を実施するための形態】
【００１６】
以下、本考案の実施形態について、添付図面を参照して説明する。
【００１７】
図１〜図７は実施形態に係る液体計量キャップの各説明図である。
【００１８】
実施形態に係る液体計量キャップは、図１〜図２に示すように、略筒状の周壁１０と前記周壁１０の一端部を閉塞する底面１２を有した略椀状を呈し、液体を収納して計量可能な収容部１４を備えたものである。
【００１９】
液体計量キャップは、周壁１０の側面外周を取り囲むように椀状蓋部１６が形成されていてその椀状蓋部１６の内面には、雌ネジ１６ａが形成されている。
【００２０】
前記液体計量キャップは、椀状蓋部１６の雌ネジ１６ａを、液体を収容する容器本体１８の口元部１８ａにネジ嵌合して固定するようになっている。
【００２１】
液体計量キャップの中心軸Ｃに沿う方向に平行な断面において、前記周壁１０と底面１２とは断面で緩やかな弧を描く連接部２０を介して連続している。
【００２２】
それらの周壁１０と底面１２とが連接部２０でなす角度が１１０度以上の鈍角である。
【００２３】
また、前記液体計量キャップにおいては、前記液体計量キャップを容器本体１８に取り付けていた状態とは上下を逆にして収容部１４の開口部１４ａを上に向け底面１２（設置面１２ａ）がテーブル等の平面に接置できる状態、すなわち、液体計量キャップを正立させるために３以上でかつ奇数個の突起２２を設けたものである。図１〜図２に示す実施形態では、５個の突起２２を突出形成している。
【００２４】
また、前記突起２２が、底面１２の中心点（中心軸Ｃ通る箇所）から同心円状に等間隔かつ等角度で配列されている（図２（ａ）参照）。
【００２５】
したがって、液体計量キャップの中心軸Ｃに沿う方向に平行な断面において、前記周壁１０と底面１２とが連接部２０でなす角度が１１０度以上の鈍角であるので、連接部２０で滞ることなく滑らかに液体を流して液残りを生じ難くし、計量と払出しとの誤差を少なくすることができる。
【００２６】
また、底面１２側の設置面に、液体計量キャップを正立させるために５個の突起２２を設けたことによって、突起２２が偶数個である場合に比較して液体計量キャップを確実に正立させることができる。
【００２７】
また、前記突起２２が、底面１２中心点から同心円状に等間隔で配列されていることによって、どの方向に傾いても確実に復帰し易い。
【００２８】
考案者は、本考案例と比較例との液体計量キャップを種々に形成して、本考案に係る液体計量キャップを評価した。
【００２９】
〔連接部２０の角度と内容物の残量の関係についての評価〕
まず、周壁１０と底面１２とが連接部２０でなす角度と内容物の残量の関係について評価した。
【００３０】
図２に示すように、底面１２と周壁１０とが連接部２０を中心として角度Ａについて、角度Ａを９３度にした比較例１の液体計量キャップと、角度Ａを１１０度にした実施例１の液体計量キャップ、角度Ａを１３０度にした実施例２の液体計量キャップについて以下の実験を行った。
【００３１】
各液体計量キャップの材質は、ポリプロピレン、寸法は周壁１０の径は２６ｍｍ、底面１２のＲは１３．７ｍｍであった。
【００３２】
また、液体は液体洗剤リキッドトップ（商品名：ライオン株式会社製）であった。
各液体計量キャップに２０ｇずつの液体洗剤を注ぎ、これを３０度（中心軸Ｃが水平に対してなす角度）まで傾けて払い出した後、これを正立状態に戻し、液体洗剤の残量を計測した。全操作に要する時間を２０秒とした。
【００３３】
計測結果を図３に示す。
図３に示すように、比較例１では残量が１．７５ｇ、実施例１では残量が１．１５ｇ、実施例２では、残量が０．７ｇであった。比較例１では、連接部２０周辺に液体洗剤が滞った状態で残量となっていたが、実施例１、実施例２では、連接部２０周辺に液体洗剤が滞らずに残量が少なかったものである。以上の結果より、本考案の液体計量キャップの形状は明らかに残量が少ないと言える。
【００３４】
〔傾斜転倒角度についての評価〕
突起２２の形成による液体計量キャップの傾斜転倒角度について評価した。
【００３５】
この場合、液体計量キャップは上記と同材質で上記角度Ａが１３０度のものであってそれに下記の突起２２を設けたものである。
【００３６】
突起２２は、略半球状の底面１２の中心から半径８．５ｍｍの同心円状に半径１．０ｍｍの突起（突起状の足）をＮ個配置して各液体計量キャップを形成したものである。
【００３７】
この場合、突起２２は奇数個のときは図４（ａ）のように、二つの突起２２の中心位置と最も離れた突起２２までの距離が接地長となり、偶数個のときは図４（ｂ）のように、二つの突起２２の中心位置と他の二つの突起２２中心の間の距離が接地長となる。
【００３８】
液体計量キャップの傾斜状態を突起２２が４個の場合を図５に、５個の場合を図６に示す。図５、図６で（ａ）は正面図、（ｂ）は断面図、（ｃ）は下面図である。図中Ｈは水平な設置面、Ｖは垂直方向をそれぞれ示している。
【００３９】
さらに、突起２２を３以上設けた場合、仮想接地面（隣接する突起２２同士の間）Ｐと中心点（液体計量キャップの中心軸の通る点：符号Ｃで示している）までの距離Ｌについて、突起２２が３個〜８個の各場合を図４（ｃ）〜（ｈ）に示す。
【００４０】
突起数（設置点数）に対する接地長、傾斜角度、中心最短距離の計測結果を図７に示す。
【００４１】
図７の結果から、接地長については、突起２２を５個と７個の奇数個設けた場合が、突起２２を４個や８個設けた場合に比較して接地長が長いので、突起２２を奇数個設けるのが好適であることが理解される。
また、仮想設置面の端部と中心点との距離Ｌを比較したところ、突起２２が３個では他の配置に比較して最端部が短いことから、より安定性を増すためには、突起２２を５個以上設けることが望ましいことが判明した。
【産業上の利用可能性】
【００４２】
本考案の液体計量キャップは、液体洗剤、柔軟剤、薬剤等を容器本体に収容し、その液体を無駄なく計量する液体計量キャップに利用することができる。
【符号の説明】
【００４３】
１０  周壁
１２  底面
１２ａ  設置面
１４  収容部
１４ａ  開口部
１６  椀状蓋部
１６ａ  雌ネジ
１８  容器本体
１８ａ  口元部
２０  連接部
２２  突起
Ａ  角度
Ｃ  中心軸
Ｐ  突起間の仮想設置面
Ｌ  仮想接地面から中心までの距離
【図１】
0003152639.tif 000003
【図２】
0003152639.tif 000004
【図３】
0003152639.tif 000005
【図４】
0003152639.tif 000006
【図５】
0003152639.tif 000007
【図６】
0003152639.tif 000008
【図７】
0003152639.tif 000009